(57)【要約】【課題】無端ベルトに長さ調整装置を付けたコイン搬送装置【解決手段】本発明のコイン搬送装置に装着されたベルトの長さ調整装置は、コンベアフレーム３０の両端に軸支されコンベアフレームの底板３２上をコイン３４が移送されるように無端ベルト４０が巻き掛けられる２個の従動プーリ４８と、コンベアフレームの下方におい無端ベルトを下方に引き出して無端ベルトの長さ調節するループ６０を形成する２個のループ形成プーリ５０と、この無端ベルトのループ内において無端ベルトを駆動する駆動プーリ５８と、無端ベルトを拡張または縮小するように移動可能に軸支されたテンションプーリ５４とからなるものであって、テンションプーリを水平に前進または後退させることによって、無端ベルトの長さの調整が極めて簡単にできる。【選択図】        図１
2004215882.tif 000002
【特許請求の範囲】
【請求項１】
コイン搬送装置に装着されたベルトの長さ調整装置であって、
コインを搬送できる幅の底板（３２）と該底板（３２）の両側に立設された側板（３６）とで構成されるコンベアフレーム（３０）と、
前記コンベアフレーム（３０）の両端に軸支され前記コンベアフレーム（３０）の前記底板（３２）上をコイン（３４）が移送されるように無端ベルト（４０）が巻き掛けられる２個の従動プーリ（４８）と、
前記コンベアフレーム（３０）の下方において無端ベルト（４０）に接するように並んで２個軸支されその間から前記無端ベルト（４０）を下方に引き出して前記無端ベルト（４０）の長さ調節ループを形成する２個のループ形成プーリ（５０）と、
前記２個のループ形成プーリ（５０）により形成された無端ベルト（４０）のループ内において軸支され巻き取った無端ベルト（４０）を巻き掛けて前記無端ベルトを駆動する駆動プーリ（５８）と、
前記２個のループ形成プーリ（５０）により形成された無端ベルトのループ内において前記駆動プーリ（５８）と前記何れかのループ形成プーリの間において前記無端ベルト（４０）を巻き掛けられると共に前記無端ベルト（４０）を張設するように弾力的に軸支されたテンションプーリ（５４）、
とからなることを特徴とするコイン搬送装置に装着されたベルトの長さ調整装置。
【請求項２】
前記駆動プーリ（５８）は駆動部取付板（４４）を介して前記コンベアフレーム（３０）の前記側板（３６）に軸支され、前記テンションプーリおよび前記ループ形成プーリ（５０）はテンション部取付板（４２）を介して前記コンベアフレーム（３０）の前記側板（３６）に軸支されていることを特徴とする請求項１に記載コイン搬送装置に装着されたベルトの長さ調整装置。
【発明の詳細な説明】
【０００１】
【発明の属する技術分野】
本発明は遊技場等で用いられるコイン等の搬送装置に用いられる無端ベルトの取付の構造に関する。
【０００２】
【従来の技術】
従来、コイン等の搬送装置に用いられるコイン搬送用ベルトは、コイン１２が横になって通過する幅を有し略々水平に固定された底板と、該底板の両側に立設された側板とからなる輸送フレーム１０の底板中央に装着される。このコイン搬送用ベルトは無端ベルト１４であって、輸送フレーム１０の底面中央には、無端ベルトが遊嵌する溝１６が設けられ、この溝１６に無端ベルト１４が、図示しないが輸送フレーム１０の両端に軸支された駆動プーリおよび従動プーリに巻き掛けることにより装着されている。（例えば、特許文献１参照）
【０００３】
また、メタル（コインのことをメタルとも言う。以下同じ。）販売機２８を挟んで配置された遊技台１２の下には、メタル回収コンベヤ１４が水平に取り付けられ、各遊技台１２からオーバーフローしたメタルが、メタル回収コンベヤ１４の上に落下する。次いで、メタル回収コンベヤ１４の上に回収されたメタルは、メタル回収コンベヤ１４の一端に設けられたメタルリフタ１８により、遊技台１４の上位置まで運ばれる。メタルリフタ１８により遊技台１２の上方に上昇したメタルは、各遊技台１２およびメタル販売機２８へメタルを供給するメタル取込装置２２を配置したメタル補給コンベヤ２０が取り付けられている。（例えば、特許文献２参照）
【０００４】
【特許文献１】
実公平７−４１５０７号公報（第１頁第１欄第２行〜第７行［請求項１］、第２頁第４欄第９行〜第１６行［実施例］、第１図、第２図）
【特許文献２】
特開２００１−１０４５４１号公報（第３頁第３欄［００１３］〜［００１８］［発明の実施の形態］、図１〜図４）
【０００５】
【発明が解決しようとする課題】
このように、遊技台に取り付けられるコイン搬送用ベルトや、メタル回収コンベヤあるいはメタル補給コンベヤに用いられる無端ベルトは、現地の取付状態によって、両端に軸支されるプーリの位置は取り付ける機台によって、長さが異なるため、無端ベルトの長さは、各々の現場に合わせて、接合しなければならない、という不都合がある。
【０００６】
また、無端ベルトも長年使用していると、自然に延びてしまうため、これを放置すると、無端ベルトとプーリの間でスリップするようになるため、無端ベルトの延びた部分を切り取って接着し直さなければならないという問題点がある。
【０００７】
本願発明は、遊技台に取り付けられるコイン搬送用ベルトや、メタル回収コンベヤあるいはメタル補給コンベヤに用いられる無端ベルトの上記の如き問題点を解決するためになされたものであって、無端ベルトを取りつける際に現場合わせの手間を必要とせず、かつ長年使用によって無端ベルトが伸びても、簡単に無端ベルトの長さの調整を容易にすることができるコイン搬送装置に装着されたベルトの長さ調整装置を提供することを目的とする。
【０００８】
【課題を解決するための手段】
本発発明の請求項１に記載のコイン搬送装置に装着されたベルトの長さ調整装置であって、
コインを搬送できる幅の底板と該底板の両側に立設された側板とで構成されるコンベアフレームと、
前記コンベアフレームの両端に軸支され前記コンベアフレームの前記底板上をコインが移送されるように無端ベルトが巻き掛けられる２個の従動プーリと、
前記コンベアフレームの下方において無端ベルトに接するように並んで２個軸支されその間から前記無端ベルトを下方に引き出して前記無端ベルトの長さ調節ループを形成する２個のループ形成プーリと、
前記２個のループ形成プーリにより形成された無端ベルトのループ内において軸支され巻き取った無端ベルトを巻き掛けてループ前記無端ベルトを駆動する駆動プーリと、
前記２個のループ形成プーリにより形成された無端ベルトのループ内において前記駆動プーリと前記何れかのループ形成プーリの間において前記無端ベルトを巻き掛けられると共に前記無端ベルトを張設するうよに弾力的にに軸支されたテンションプーリとからなることを特徴とするコイン搬送装置に装着されたベルトの長さ調整装置である。
【０００９】
また、本発明の請求項２に記載のコイン搬送装置に装着されたベルトの長さ調整装置は、請求項１の発明において、前記駆動プーリは駆動部取付板を介して前記コンベアフレームの前記側板に軸支され、前記テンションプーリはおよび前記ループ形成プーリはテンション部取付板を介して前記コンベアフレームの前記側板に軸支されていることを特徴とする。
【００１０】
【作用】
コイン搬送装置は、一般的には、少なくとも一個以上のコインを搬送できる幅の底板と該底板の両側に立設された側板とで構成されるコンベアフレームと、コンベアフレームの両端にはプーリが軸支されコンベアフレームの底板上をコインが移送されるように無端ベルトが巻き掛けられる。２個のプーリのいずれか一方はモータの出力軸が取り付けられた駆動プーリであり、他方は従動プーリである。
【００１１】
これに対して本願発明では、コンベアフレームの下方において、回転する無端ベルトに接するように並んで設けた２個のループ形成プーリを軸支した。そのため、この２個のループ形成プーリの間から無端ベルトを下方に引き出して、無端ベルトの長さ調節ループを形成することができる。
【００１２】
この２個のループ形成プーリにより形成された無端ベルトのループ内においては、いずれか一方のループ形成プーリから巻き取った無端ベルトを巻き掛けてループ内の無端ベルトを駆動する駆動プーリが取り付けられる。そのため、ループ内の無端ベルトは、ループ内を一周して他方のループ形成プーリへ巻き取られる。
【００１３】
また、この２個のループ形成プーリにより、下方に引き出され形成された無端ベルトのループ内においては、駆動プーリに巻き取られた無端ベルトは、他方のループ形成プーリに巻き取られるが、その間には無端ベルトのループの長さを調節するテンションプーリが弾力的でかつ移動可能に軸支されている。
【００１４】
そのため、複数の遊技台を配列したブロック（島と称する）にコイン搬送装置を取り付ける際に、予め寸法を測定しておけば、取り付ける際に、無端ベルトの長さがある程予測出来るので、無端ベルトを予め測定した長さにして接着することができる。また、無端ベルトを張設する際に、テンションプーリが弾力的でかつ移動可能に軸支されているので、無端ベルトのループの長さを容易に調節することができる。
【００１５】
また、長年の使用で無端ベルトが延びた場合は、従来は取り替える必要があったが、本発明ではループ内の無端ベルトを拡張または縮小するように移動可能に軸支されたテンションプーリが設けられているので、テンションプーリによって無端ベルトの長さを拡張すれば、無端ベルトを交換することなく、直ちに対応することが可能である。
【００１６】
【発明の実施の態様】
本発明の実施の態様について、以下図面に従って説明する。図１は本発明の一実施例の各プーリの配置とそれに巻き掛けられた無端ベルトを示す側面図、図２は図１の側面図のＡ−Ａ線における断面図、図３はテンションプーリとその取付構造を示す断面図である。
【００１７】
図２において、コンベアフレーム３０の底板３２はコイン３４を横にして自由に通過できる幅の板であって、その両側には側板３６ａおよび３６ｂが立設されている。また、底板３２の上には、無端ベルト４０が張設され、コイン３４を載せて走行するようになっている。
【００１８】
また、図１および図２に示されているように、コンベアフレーム３０の一方の側板３６ａには、テンション部取付板４２および駆動部取付板４４のそれぞれ上端部が取りつけられ、もう一方の側板３６ｂにはカバー４６が取りつけられている。コンベアフレーム３０の両端には、従動プーリ４８が軸支され、これに無端ベルト４０が巻き掛けられ、コンベアフレーム３０の底板の中を無端ベルト４０が走行するようになっている。
【００１９】
テンション部取付板４２には、２個のループ形成プーリ５０ａおよび５０ｂが横に並んで軸支され、それぞれ従動プーリ４８からの無端ベルト４０を巻き取りあるいは巻き戻すようになっている。一方のループ形成プーリ５０ａから引き出された無端ベルト４０は、駆動プーリ５８およびテンションプーリ５４に巻き掛けられた後、他方のループ形成プーリ５０ｂに巻き取られ、無端ベルト４０長さ調節ループ６０が形成される。
【００２０】
さらに、テンション部取付板４２には、図３のテンション部５２の縦断面図に示すように、内面にねじ山を設けた貫通孔６４を貫設したボルト支持部材６２が固定されている。テンション調節ボルト５６はボルト支持部材６２の貫通孔６４に螺入貫通し、先端部はテンションプーリ５４の軸支金具６８に設けたボルト挿入孔７０に、回転可能な状態で挿入されいる。
【００２１】
ボルト支持部材６２の貫通孔６４のテンションプーリ側の出口端と、テンションプーリ５４の軸支金具６８に設けた支持孔７０の出口端には、それぞれスプリング受け座７２および７４が設けられ、この間にスプリング７６が取り付けられ、このスプリング７６の中をテンション調節ボルト５６が貫通している。
【００２２】
駆動部４４には駆動プーリ５８が軸支され、図示しないモータにより回転し、ループ形成プーリ５０から無端ベルト４０を巻き取ったり、あるいはテンションプーリ５４からの無端ベルト４０を巻き取ったりする。無端ベルト４０は、二つのループ形成プーリ５０の間で、駆動プーリ５８およびテンションプーリ５４に巻き掛けられるので、無端ベルト４０により長さ調整用のループ６０が形成される。
【００２３】
本実施例の作動について説明すると、図１に示したように、コンベアフレーム３０の両端に軸支された従動プーリ４８には、コンベアフレーム３０を貫通するように無端ベルト４０が巻き掛けられる。両端の従動プーリ５０に巻き掛けられた無端ベルト４０は、いずれも２個並んだループ形成プーリ５０に巻き取られる。
【００２４】
一方のループ形成プーリ５０ａに巻き取られた無端ベルト４０は、駆動プーリ５８に巻き取られる。駆動プーリ５８に巻き取られた無端ベルト４０はテンションプーリ５４に巻き取られ、他方のループ形成プーリ５４に巻き掛けられ他方のループ形成プーリ５０ｂに巻き掛けられるので、無端ベルト４０は、ループ形成プーリ５０ａと５０ｂの間で、無端ベルトの長さ調節用のループ６０が形成される。
【００２５】
一方、テンションプーリ５４はテンションボルト５６にテンションプーリ支持金具６８を介して軸支されているので、テンションボルト５６を回転することにより水平方向に前進または後退する。これにより、各プーリに巻き掛けられた無端ベルト４０の長さが長ければテンションボルト５４をテンションベルト調整金具６２に螺入することによりテンションプーリ５４を前進させて、容易に無端ベルト４０の長さを調整できる。
【００２６】
また逆に短すぎて無端ベルト４０を装着することができない場合は、テンションベルト５４をテンションベルト調整金具５２から螺出することにより、無端ベルト４０の長さ調整用のループ６０を縮小できるので、いずれの場合も無端ベルト４０の長さの調整が極めて簡単にできる。
【００２７】
【発明の効果】
本発明のコイン搬送装置に装着されたベルトの長さ調整装置は、コンベアフレームの両端に軸支されコンベアフレームの底板上をコインが移送されるように無端ベルトが巻き掛けられる２個の従動プーリと、コンベアフレームの下方におい無端ベルトを下方に引き出して無端ベルトの長さ調節ループを形成する２個のループ形成プーリと、この無端ベルトのループ内において無端ベルトを駆動する駆動プーリと、無端ベルトを拡張または縮小するように移動可能に軸支されたテンションプーリとからなるものであって、テンションプーリを水平に前進または後退させることによって、無端ベルトの長さの調整が極めて簡単にできる。
【図面の簡単な説明】
【図１】本発明の一実施例の各プーリの配置とそれに巻き掛けられた無端ベルトを示す側面図である。
【図２】図１の側面図のＡ−Ａ線における断面図である。
【図３】テンションプーリとその取付構造をしめす断面図である。
【符号の説明】
３０・・・・・コンベヤフレーム
３２・・・・・底板
３４・・・・・コイン
３６・・・・・側板
４０・・・・・無端ベルト
４２・・・・・テンション部取付板
４４・・・・・駆動部取付板
４６・・・・・カバー
４８ａ、４８ｂ・・・・・駆動プーリ
５０ａ、５０ｂ・・・・・ループ形成プーリ
５２・・・・・テンション調節金具
５４・・・・・テンションプーリ
５６・・・・・テンション調節ボルト
５８・・・・・駆動プーリ
６０・・・・・長さ調節用ループ
６２・・・・・ボルト支持部材
６４・・・・・貫通孔
７０・・・・・テンション調節ボルトの挿入口
７２、７４    ・・・・・スプリング受け座
７６・・・・・スプリング
【図１】
2004215882.tif 000003
【図２】
2004215882.tif 000004
【図３】
2004215882.tif 000005